(57)【要約】 【課題】折畳状態においても、多様な機能を簡単に操作できるカメラ付折畳回動式携帯端末装置を提供することを目的とする。【解決手段】少なくとも情報表示を行う表示部３と一つ以上の側面キー９を有する第一筐体１と、少なくともカメラ部５と一つ以上の側面キー７を有する第二筐体２とが、開閉方向および直交方向に回転する少なくとも二つの回動自由度をもつヒンジ部４により結合された携帯端末装置において、第一筐体１と第二筐体２を互いに開放した開状態から、第一筐体１をヒンジ部４の回転軸を基準に１８０度回転させて第一筐体１の表示部３を外側にして重なり合う折畳状態となるとき、第一筐体１および第二筐体２の互いに異なる側面に配置された側面キーを同じ側に位置するよう構成している。【選択図】図１
2006050057.tif 000002
【特許請求の範囲】
【請求項１】
少なくとも情報表示を行う表示部を有する第一筐体と、少なくともカメラ部を有する第二筐体とが、開閉方向および直交方向に回転する少なくとも二つの回動自由度をもつヒンジ部により結合された携帯端末装置において、前記第一筐体および前記第二筐体の互いに異なる側面に側面キーをそれぞれ少なくとも一つ具備することを特徴とする折畳回動式携帯端末装置。
【請求項２】
少なくとも情報表示を行う表示部を有する第一筐体と、少なくともカメラ部を有する第二筐体とが、開閉方向および直交方向に回転する少なくとも二つの回動自由度をもつヒンジ部により結合された携帯端末装置において、第一筐体と第二筐体を互いに開放した開状態から前記第一筐体を前記ヒンジ部の回転軸を基準に１８０度回転させて、前記第一筐体の表示部を外側に前記第二筐体と前記第一筐体が重なり合う折畳状態となるとき、前記第一筐体および前記第二筐体の互いに異なる側面に配置した側面キーは同じ側に位置することを特徴とする折畳回動式携帯端末装置。
【請求項３】
少なくとも情報表示を行う表示部を有する第一筐体と、少なくともカメラ部を有する第二筐体とが、開閉方向および直交方向に回転する少なくとも二つの回動自由度をもつヒンジ部により結合された携帯端末装置において、第一筐体と第二筐体を互いに開放した開状態から前記第一筐体を前記ヒンジ部の回転軸を基準に１８０度回転させて、前記第一筐体の表示部を外側に前記第二筐体と前記第一筐体が重なり合う折畳状態となるとき、シャッターキーを配置した側を天面とすると、第一筐体および第二筐体の互いに異なる側面に配置した側面キーが天面に位置することを特徴とする折畳回動式携帯端末装置。
【請求項４】
前記第一筐体と前記第二筐体を互いに開放した開状態から前記第一筐体を前記ヒンジ部の回転軸を基準に１８０度回転させて、前記第一筐体の表示部を外側に前記第二筐体と前記第一筐体が重なり合う折畳状態となるとき、前記第一筐体に配置された側面キーと、前期第二筐体に配置された側面キーが、互い違いに配置したことを特徴とする請求項１から請求項３のいずれかに記載の折畳回動式携帯端末装置。
【請求項５】
前記第一筐体と前記第二筐体を互いに開放した開状態から前記第一筐体を前記ヒンジ部の回転軸を基準に１８０度回転させて、前記第一筐体の表示部を外側に前記第二筐体と前記第一筐体が重なり合う折畳状態となるとき、第一筐体に配置された側面キーと、第二筐体に配置された側面キーが、互いに重なる位置に配置したことを特徴とする請求項１から請求項３のいずれかに記載の折畳回動式携帯端末装置。
【請求項６】
前記二つの筐体のうち一方の側面キーは、動作モード選択キーであって、少なくとも二つ以上の動作モードの中から動作させる動作モードを選択することを特徴とする請求項１から請求項３のいずれかに記載の折畳回動式携帯端末装置。
【請求項７】
前記二つの筐体のうち一方の側面キーは、シャッターキーであることを特徴とする請求項１から請求項３のいずれかに記載の折畳回動式携帯端末装置。
【請求項８】
前記二つの筐体のうち一方の側面キーは、ズームキーであることを特徴とする請求項１から請求項３のいずれかに記載の折畳回動式携帯端末装置。
【請求項９】
前記二つの筐体のうち一方の側面キーは、フォトライトキーであることを特徴とする請求項１から請求項３のいずれかに記載の折畳回動式携帯端末装置。
【請求項１０】
前記二つの筐体のうち一方の側面キーは、マクロ切替えキーであることを特徴とする請求
項１から請求項３のいずれかに記載の折畳回動式携帯端末装置。
【請求項１１】
前記二つの筐体のうち一方の側面キーは、ナイトモード切替えキーであることを特徴とする請求項１から請求項３のいずれかに記載の折畳回動式携帯端末装置。
【請求項１２】
前記二つの筐体の側面キーは、テレビチャンネル切替えキーであることを特徴とする請求項１から請求項３のいずれかに記載の折畳回動式携帯端末装置。
【請求項１３】
前記二つの筐体のうち一方の側面の側面キーは、表示部の画面を上下にスクロールさせるキーであって、他方の側面における側面キーは、表示部の画面を左右にスクロールさせるキーであることを特徴とする請求項１から請求項３のいずれかに記載の折畳回動式携帯端末装置。
【請求項１４】
前記二つの筐体のうち一方の側面キーは、メモ／マナーモード切替えキーであることを特徴とする請求項１から請求項３のいずれかに記載の折畳回動式携帯端末装置。
【請求項１５】
前記二つの筐体のうち一方の側面キーは、クリアキーであることを特徴とする請求項１から請求項３のいずれかに記載の折畳回動式携帯端末装置。
【発明の詳細な説明】
【技術分野】
【０００１】
本発明は、カメラ付折畳回動式携帯端末装置に関するものである。
【背景技術】
【０００２】
近年の携帯電話装置等の携帯端末装置では、インターネット機能に加えて、カメラやテレビ、ナビゲーション等、多くの機能が搭載されている。特に、カメラ機能は標準搭載機能となりつつあり、筐体の小型化が求められる一方で、表示部の拡大化やデジタルカメラと同等の機能が要求されている。
【０００３】
従来より、カメラ付折畳回動式携帯端末装置において、第一筐体は第二筐体に対し、単に折畳可能とするだけでなく、第一筐体を開状態から表裏を反転して第二筐体に重ねられるように回動可能に構成され、その状態でもカメラ撮影が可能な携帯端末装置が利用されている。例えば、第一筐体の外側面にレンズを有した折畳み式携帯端末装置において、第一筐体と第二筐体を互いに解放した開状態から、第一筐体を１８０度回転して第二筐体に重ねた折畳状態では、第一筐体の表示部が外側となるので、一般的なデジタルカメラと同様な形態となる。そこで、例えば、側面やヒンジ部など折畳状態において表面に露出する位置にシャッターキーを設けて、デジタルカメラで撮影する時と同様に、携帯端末装置を両手で支えて、被写体を液晶に表示させながら撮影できる折畳回動式携帯端末装置が利用されている（例えば、特許文献１参照）。
【０００４】
また、携帯端末装置の多機能化に対応して、第一筐体の表示部に隣接して複数の側面キーを設けることで、表示部を外側にして重ねた折畳状態において、撮影機能だけではなく、ナビゲーションやゲーム、テレビ等、複数の機能が操作可能な折畳回動式携帯端末装置も提供されている（例えば、特許文献２参照）。
【特許文献１】特開２００３−１２５０４９号公報（第３頁、第５頁、図４、図１２）
【特許文献２】特開２００３−３０９６３４号公報（第５頁、第６頁、図６）
【発明の開示】
【発明が解決しようとする課題】
【０００５】
しかしながら、特許文献１に記載の従来例では、表示部の面積を最大にして表示部のある面にキーを配置しない構成をとっている。そのため、表示部を表側にした折畳状態で撮影する場合において、シャッターキーを除き、表面にキーが存在しない。その結果、例えばカメラ撮影時にズームや撮影モード切替えといった、いわゆるデジタルカメラと同様な機能について操作することができない。
【０００６】
一方、特許文献２に記載の従来例では、表示部に隣接して複数の操作キーを配置しているので、表示部を外側にして重ねた折畳状態において多様な操作を行うことができるが、表示部の面積が小さくなってしまう。
【０００７】
ナビゲーションやテレビ、ゲームといった機能を搭載する携帯端末装置が多く利用されるなかで、筐体を大きくすることなく、表示部の面積を拡大化し、あわせて多様な機能の操作を実現しなければならないという課題があった。
【０００８】
本発明は、上記課題を解決するもので、カメラ付折畳回動式携帯端末装置の異なる筐体の異なる側面にキーを配置することにより、筐体を大きくすることなく、折畳状態において操作可能な側面キーを増加させると共に表示部の大きさを確保して、いずれの状態においても多様な機能を操作できるようにする。特に、表示部を外側にして重ねた折畳状態に
おいて、側面キーの操作により、多様な機能を簡単に操作できるカメラ付折畳回動式携帯端末装置を提供することを目的とする。
【課題を解決するための手段】
【０００９】
前記従来の課題を解決するために、本発明の折畳回動式携帯端末装置は、少なくとも情報表示を行う表示部を有する第一筐体と、少なくともカメラ部を有する第二筐体とが、開閉方向および直交方向に回転する少なくとも二つの回動自由度をもつヒンジ部により結合された携帯端末装置において、第一筐体および第二筐体の互いに異なる側面に側面キーをそれぞれ少なくとも一つを配置するよう構成している。
【００１０】
この構成により、側面キーを一つの側面に配置する場合と比べて、側面キーの大きさを確保しつつキー数を多く配置できるので、折畳状態においても多彩な操作が可能となる。側面キーが触れるのに適当な大きさで構成されていることより、携帯端末装置の開状態において、各筐体に配置された側面キーを親指でも操作しやすいようにしている。
【００１１】
また、本発明の折畳回動式携帯端末装置は、少なくとも情報表示を行う表示部を有する第一筐体と、少なくともカメラ部を有する第二筐体とが、開閉方向および直交方向に回転する少なくとも二つの回動自由度をもつヒンジ部により結合された携帯端末装置において、第一筐体と第二筐体を互いに開放した開状態から、第一筐体をヒンジ部の回転軸を基準に１８０度回転させて第一筐体の表示部を外側にして重なり合う折畳状態となるとき、第一筐体および第二筐体の互いに異なる側面に配置された側面キーは同じ側に位置するよう構成している。
【００１２】
この構成により、第一筐体と第二筐体を互いに開放した開状態からヒンジ部の回転軸を基準に第一筐体を１８０度回転し、表示部を外側に重ね合わせた折畳状態において、第一筐体および第二筐体の互いに異なる側面に配置された側面キーが同じ方向を向くため、カメラ撮影において、筐体を横向きにして両手で支えた時に、各側面キーを簡単に操作できるようにしている。また、側面キーが同じ側に揃うことにより、片手で使用することも可能である。
【００１３】
また、本発明の折畳回動式携帯端末装置は、少なくとも情報表示を行う表示部を有する第一筐体と、少なくともカメラ部を有する第二筐体とが、開閉方向および直交方向に回転する少なくとも二つの回動自由度をもつヒンジ部により結合された携帯端末装置において、第一筐体を開状態からヒンジ部の回転軸を基準に１８０度回転させて第一筐体の表示部を外側に重なり合う折畳状態となるとき、シャッターキーが配置されている側を天面とすると、第一筐体および第二筐体の互いに異なる側面に配置された側面キーが天面に位置するよう構成している。
【００１４】
この構成により、カメラ撮影時において、シャッターキーを天面として持った場合、各側面キーも天面に並ぶので、多様なカメラ機能を簡単に操作できるようにしている。
【００１５】
また、本発明の折畳回動式携帯端末装置は、第一筐体を開状態からヒンジ部の回転軸を基準に１８０度回転させて、第一筐体の表示部を外側に第二筐体と重なり合う折畳状態となるとき、第一筐体に配置された側面キーと第二筐体に配置された側面キーが、互い違いに配置されるよう構成している。
【００１６】
この構成により、第一筐体の表示部を外側にして重ねた折畳状態において、側面キーの誤操作、誤入力を防ぎ、操作性を向上させるようにしている。
【００１７】
また、本発明の折畳回動式携帯端末装置は、第一筐体を開状態からヒンジ部の回転軸を
基準に１８０度回転させて、第一筐体の表示部を外側に第二筐体と第一筐体が重なり合う折畳状態となるとき、第一筐体に配置された側面キーと第二筐体に配置された側面キーが、互いに重なる位置に配置されるよう構成している。
【００１８】
この構成により、第一筐体の表示部を外側にして重ねた折畳状態において、二つの側面キーを同時に押すことが可能となるので、一つの側面キーを複数回押して動作モードや機能を選択しなければならないような場合に、二つの側面キーを同時に押すという操作を加えることで操作回数を減らしたり、操作の幅が広げられるようにしている。
【００１９】
また、本発明の折畳回動式携帯端末装置は、二つの筐体のうち一方の側面に、動作モード選択キーを配置し、少なくとも二つ以上の動作モードの中から動作させる動作モードを選択するよう構成している。
【００２０】
この構成により、第一筐体の表示部を外側にして重ねた折畳状態において、カメラ撮影、テレビ、ナビゲーション、ゲームといった多様な機能を選択するようにしている。
【００２１】
また、本発明の折畳回動式携帯端末装置は、カメラ撮影時において、二つの筐体の側面に配置された側面キーとして、シャッターキー、ズームキー、フォトライトキー、マクロ切替えキー、ナイトモード切替えキー、が機能するよう構成している。
【００２２】
この構成により、第一筐体の表示部を外側にして重ねた折畳状態であっても、カメラ撮影時において、デジタルカメラ単体と同様に多機能について操作できるようにしている。
【００２３】
また、本発明の折畳回動式携帯端末装置は、テレビ閲覧時において、二つの筐体の側面に配置された側面キーとして、少なくとも二つ以上のチャンネル切替えキーが機能するよう構成している。
【００２４】
この構成により、テレビ閲覧時において、第一筐体の表示部を外側にして重ねた折畳状態であっても、テレビと同様な操作で閲覧できるようにしている。
【００２５】
また、本発明の折畳回動式携帯端末装置は、特定の機能動作中において、二つの筐体の側面に配置された側面キーとして、一方の側面には表示部を上下にスクロールさせるキーが、他方の側面には左右にスクロールさせるキーが機能するよう構成している。
【００２６】
この構成により、第一筐体の表示部を外側にして重ねた折畳状態において、片手で簡単に表示部上の画面およびポインタ等を上下左右にスクロールできるようにしている。
【００２７】
また、本発明の折畳回動式携帯端末装置は、二つの筐体のうち一方の側面に、メモ／マナーモード切替えキーが配置され、音声メモ等のメモ機能とマナーモード機能とを切り替えるよう構成している。
【００２８】
この構成により、携帯電話装置のいずれの状態においても、メモ機能とマナーモード機能を選択して設定できるようにしている。
【００２９】
また、本発明の折畳回動式携帯端末装置は、二つの筐体のうち一方の側面に、クリアキーが配置され、現在の動作状態から一つ前の状態に戻る、あるいは設定を削除するよう構成している。
【００３０】
この構成により、第一筐体の表示部を外側にして重ねた折畳状態において、多様な機能操作について簡単にやり直しできるようにしている。
【発明の効果】
【００３１】
以上のように本発明によれば、第一筐体および第二筐体の互いに異なる側面に側面キーを設けることにより、表示部の大きさを確保するとともに、折畳状態において操作可能なキーをより多く配置できるので、折畳状態であっても操作が煩雑にならず、コンパクトでありながら多彩な機能について操作することができる。
【００３２】
さらに、第一筐体の表示部を外側にして第二筐体と重ねた折畳状態では、側面キーがすべて同じ側になるよう構成することにより、カメラ撮影時において、デジタルカメラ単体と同様な機能について操作することができる。また、上記の状態において、表示部が大きく、かつ、片手で多様な操作ができるので、マルチメディア機能の操作性を向上させることができる。
【００３３】
また、本発明によれば、異なる側面上に側面キーを設けることにより、適当な大きさでキーを配置できるので、側面キーを親指で操作したい場合であっても、誤って二つのキーを押してしまうことなく、確実な操作ができる。したがって、携帯端末装置の開状態においても、側面キーを親指で操作できるので、メール作成やインターネット閲覧等において、側面キーを操作部の補助キーとして利用し、操作性を向上させることができる。
【００３４】
また、第一筐体の表示部を外側にして第二筐体と重ねた折畳状態において、第一筐体および第二筐体の互いに異なる側面に配置された側面キーが同じ方向を向くことにより、右手または左手の人指し指で各筐体に配置された側面キーを簡単に操作することで、片手の操作やカメラと同様に筐体を横向きにした状態での操作が可能となり、操作性のよい折畳回動式携帯端末装置を提供することができるものである。
【００３５】
以上のように、本発明によれば、多くの機能を搭載した携帯端末装置について、本体筐体が開状態、折畳状態、第一筐体の表示部を外側にして第二筐体と重ねた折畳状態のいずれの状態においても操作性の良好な折畳回動式携帯端末装置を提供することができる。
【発明を実施するための最良の形態】
【００３６】
以下、本発明を実施するための最良の形態について、図面を参照しながら説明する。
なお、以下に示す各図において、実際には、携帯端末装置の表面や所定位置には、送話用マイクロホンや受話用スピーカーやアンテナ等も備えられているが、それらの図示および説明は省略する。
【００３７】
（実施の形態１）
本発明の第一の実施の形態にかかる折畳回動式携帯端末装置について説明する。
【００３８】
図１に、本発明の実施の形態１における折畳回動式携帯端末装置の外観図を示す。図１において、内側に情報表示等を行う表示部３を有する第一筐体１と、外側にカメラ部を有する第二筐体２とは、開閉方向および直交方向に回転させる２つの回転自由度を持つヒンジ部４にて結合している。ヒンジ部４は、回転軸４１と直交し外側に伸びる方向に一対の支持軸１１が突出し、第一筐体１で支持軸１１を抱きかかえる構造としている。図１（ａ）に示すように第一筐体１は一対の支持軸１１を中心として垂直方向に（矢印Ａ方向）に開閉し、また、図１（ｂ）に示すように回転軸４１を中心として水平方向（矢印Ｂ方向）に回転する。したがって、図１（ｂ）の状態から矢印Ｂ方向に１８０度回転させると、図１（ｃ）に示すように第一筐体の表示部３が外側に露出した折畳状態になる。また、第一筐体および第二筐体の互いに異なる側面に側面キーを配置している。すなわち、第一筐体１には側面キー９ａ、９ｂ、９ｃがあり、第二筐体２にはシャッターキー６と側面キー７ａ、７ｂを配置がある。
【００３９】
この構成により、図１（ｃ）に示す折畳状態において、表示部３が露出し、第二筐体２の外側にカメラ部があるので、シャッターキー６と側面キー７ａ、７ｂ、９ａ、９ｂ、９ｃ等を用いて多様な操作を行うことができる。
【００４０】
（実施の形態２）
本発明の第二の実施の形態にかかる発明について説明する。なお、ここでは、表示部を内側にして折り畳んだ状態と、第一筐体を開いた状態と、表示部を外側に露出して折り畳んだ状態について図面を参照しながら説明する。
【００４１】
図２に、本発明の実施の形態２における折畳回動式携帯端末装置の折畳状態の外観図を示す。本発明の折畳回動式携帯端末装置は、内側に表示部３と外側に副表示部８を有する第一筐体１と、外側にカメラ部を有する第二筐体２と、第一筐体１と第二筐体２とを開閉および回転させる２つの回転自由度を持つヒンジ部４とから構成し、第一筐体の側面には、側面キー９ａ、９ｂ、９ｃを、第二筐体の側面には、シャッターキー６と側面キー７ａ、７ｂとを配置している。図２において、側面キー７ａにメモ／マナーモードの切替え機能を割り当て、側面キー７ｂにメモ／マナーモードの設定機能を割り当てることで、折畳状態においても簡単に音声メモとマナーモード機能を切替えて設定することができる。
【００４２】
この構成により、折畳状態において、ユーザーは第二筐体２のシャッターキー６および側面キー７ａ、７ｂを右手親指にて操作し、第一筐体１に配置された側面キー９ａ、９ｂ、９ｃを左手または右手の人差し指および中指にて操作することが可能となる。第一筐体１に側面キー９が配置されることは、第二筐体２にシャッターキー６および側面キーの全てが配置されることに比べ、握りやすく、また親指より人差し指および中指のほうが長いため、同一筐体に側面キーが配置されているものより、側面キーが押しやすく、操作性が向上する。
【００４３】
図３に、実施の形態２における折畳回動式携帯端末装置の開状態の外観図を示す。図３（ａ）は第一筐体１を開いて表示部３を上に向けた状態を示す外観図、図３（ｂ）は第一筐体１を開いて表示部３を下に向けた状態を示す外観図である。
【００４４】
図３（ａ）において、第一筐体の側面キー９ａ、９ｂ、９ｃは左側に、第二筐体の側面キー７ａ、７ｂは右側に配置している。
【００４５】
この構成により、側面キーは９ａ、９ｂ、９ｃは左手親指で、側面キー７ａ、７ｂは右手親指で操作できるので、電子メールやインターネット等の利用時に、側面キーを操作部１０の補助キー、例えば、上下スクロール、左右スクロール、パーソナルコンピュータで使用されているシフトキーやコントロールキー、クリアキー、決定キーといった機能を各側面キーに割り当てて操作部１０の補助キーとすることで、さらなる操作性の向上を図ることができる。本発明の折畳回動式携帯端末装置では、異なる側面上に、適当な大きさで側面キーを配置しているので、側面キーを親指で操作したい場合であっても、誤って二つのキーを押してしまうことなく、確実な操作ができる。また、図３において、筐体を両手で保持することで、折畳回動式携帯端末装置を誤って落とすことなく、安心して操作ができる。
【００４６】
図４に、本発明の第二の実施の形態にかかる折畳回動式携帯端末装置の第一筐体の表示部を外側にして第二筐体に重ねた折畳状態の外観図を示す。
【００４７】
図４において、第二筐体２の側面に配置されたシャッターキー６と側面キー７ａ、７ｂと、第一筐体１に配置された側面キー９ａ、９ｂ、９ｃを互い違いに配置している。
【００４８】
この構成により、カメラ撮影をする際には、筐体を横にして筐体の下側を両手の親指でしっかり保持し、人差し指等で筐体上面の側面キーとシャッターキーを操作する。したがって、折畳回動式携帯端末装置を誤って落としたり、撮影の瞬間にぶれてしまうことなく、安心して撮影をすることができる。また、通常のデジタルカメラ単体と同様に、表示部３を大画面の液晶ファインダーとしてモニターしながら撮影をすることができる。
【００４９】
なお、側面キーの型は、全て同一である必要はなく、搭載する機能および筐体内部の構造により、プッシュ型、スライド型、シーソー型、ジョグダイヤル型などを用いることができる。また、側面キーの機能についても、例えば、側面キーを動作モード選択キーとして割り当てることができる。表示部を外側にして重ね合わせた折畳状態において、表示部３には動作モード一覧を表示し、動作モード選択キーにて、複数の動作モードの中から動作させる動作モードを一つ選択すると、その動作モードに応じた機能が各側面キーに割り当てられて、表示部３に各側面キーの機能が表示される。
【００５０】
図５は、本発明の第二の実施の形態において、側面キー９ｃを動作モード選択キーに割り当て、各動作モードを選択した場合の側面キーの例を示す外観図である。
【００５１】
図５（ａ）は、本発明の第二の実施の形態において、動作モード選択キー９ｃにて撮影モードを選択した時の例を示す外観図である。図５（ａ）において、第二筐体２の側面キー７ａをズームイン機能キー、側面キー７ｂをズームアウト機能キー、シャッターキー６、として割り当てる。また、第一筐体１の側面キー９ｃを動作モード選択キー、側面キー９ｂを接写モードに切替えるマクロ切替えキー、側面キー９ａをフォトライトの点灯／消灯切替えを行うフォトライトキーとして割り当てる。なお、側面キー９ｂや９ａは、ナイトモードキーやセルフタイマーといった他の機能に割り当ててもよい。
【００５２】
この構成により、複数の側面キーを操作する場合であっても、二つの異なる側面に割り振られているので、誤操作することなく、多機能を使いこなすことができる。また、側面キーを多く配置できるので、通常のデジタルカメラ単体と同様のインタフェースを提供することが可能であり、携帯電話の操作に熟練していないユーザーにとっても簡単に操作できる。
【００５３】
図５（ｂ）は、本発明の第２の実施の形態において、動作モード選択キー９ｃにてテレビ閲覧モードを選択した時の側面キーの例を示す外観図である。図５（ｂ）において、第二筐体２の側面キー７ａをテレビチャンネル切替えのプラス遷移キー、側面キー７ｂをテレビチャンネル切替えのマイナス遷移キーとして割り当てる。第一筐体１の側面キー９ｃを動作モード選択キー、側面キー９ａを音量プラスキーと、側面キー９ｂを音量マイナスキーとして割り当てる。
【００５４】
この構成により、片手の操作で簡単にテレビを見ることができるうえ、異なる筐体の側面キーは互い違いに配置することにより、誤って同時に押してしまうことを防ぎ、より確実な操作が可能である。なお、筐体本体を横にして、側面キーを天面にした状態でテレビ閲覧する場合においても両手で簡単に操作することができる。
【００５５】
図５（ｃ）は、本発明の第２の実施の形態において、動作モード選択キー９ｃにてナビゲーションモードを選択した時の例を示す外観図である。図５（ｃ）において、第二筐体２の側面キー７ａを表示画面を下方向にスクロールさせる下方向スクロールキー、側面キー７ｂを上方向スクロールキーとして割り当てる。第一筐体１の側面キー９ｃを動作モード選択キー、側面キー９ａを表示画面を左方向にスクロールする左方向スクロールキー、側面キー９ｂを右方向スクロールキーとして割り当てる。
【００５６】
この構成により、側面キーがすべて片側に揃い、片手で簡単に操作ができるので、歩きながらの操作も可能である。また、カーナビゲーションとして利用する場合においても同様である。
【００５７】
（実施の形態３）
本発明の第三の実施の形態にかかる発明について説明する。図６に、本発明の実施の形態３の折畳回動式携帯端末装置の外観図を示す。図６において、図１および図４と同じ構成要素については同じ符号を用い、説明を省略する。
【００５８】
図６の第一筐体の表示部３を外側にして第二筐体に重ねた状態において、側面キー９ｃとシャッターキー６、側面キー９ｂと側面キー７ａ、側面キー９ａと側面キー７ｂ、がそれぞれ互いに重なり合う位置に配置するよう構成している。この構成により、２つの側面キーを同時に押すことが可能となる。したがって、動作モードや選択動作モード等の種類が多く、一つの側面キーを複数回押さなければならないような場合において、二つの側面キーを同時に押すという操作を加えることで、操作回数を減らしたり、操作の幅が広げることができる。
【００５９】
（実施の形態４）
本発明の第四の実施の形態にかかる発明について説明する。図７に、本発明の実施の形態４における折畳回動式携帯端末装置の第一筐体の表示部を外側にして第二筐体に重ねた折畳状態を示す外観図を示す。図７において、図１および図４と同じ構成要素については同じ符号を用い、説明を省略する。
【００６０】
図７（ａ）の第一筐体１は、入力表示部１２を構成している。入力表示部１２は、液晶表示パネルと、この表面に設けられた透明なタッチ入力パネルから構成され、図７（ｂ）に示すように入力ペン１３を用いて入力表示部１２の画面上でタッチ入力ができることを特徴としている。また、側面キー９ａを、動作モード選択キーとして割り当てて、表示部３を外側にして重ね合わせた折畳状態において動作モードを選択するよう構成している。
【００６１】
図７（ｃ）は、図７（ａ）に示す折畳回動式携帯端末装置における側面キーについて、動作モード選択キー９ａにてタッチ入力パネルモードを選択した時の例を示す外観図である。
【００６２】
図７（ｃ）において、第二筐体２の左側面に、側面キー７ｂは表示画面の上方向にスクロールする上方向スクロールキー、側面キー７ａは下方向スクロールキーとして割り当てる。第一筐体１の右側面に、側面キー９ａを動作モード選択キー、側面キー９ｃを決定キー、側面キー９ｂは一つ前の状態に戻すクリアキー９ｂとして割り当てる。この構成により、左手のみで側面キーの操作をすることがで可能であり、電子手帳機能やインターネット機能等の利用において操作性が向上する。
【産業上の利用可能性】
【００６３】
本発明にかかる折畳回動式携帯端末装置は、表示部の大きさを確保すると共に、側面キーの数をより多く配置できるので、折畳状態であっても操作が煩雑にならず、多機能でコンパクトな折畳回動式携帯端末装置として有用である。特に、第一筐体の表示部を外側にして第二筐体と重ねた折畳状態において、カメラや表示部の操作を片手で多様に行えるので、多機能を展開するマルチメディア端末として有用である。なお、携帯端末装置の開状態においても、側面キーを操作部の補助キーとして利用することで操作性が向上し、いずれの状態においても操作性の良好な折畳回動式携帯端末装置として有用である。
【図面の簡単な説明】
【００６４】
【図１】（ａ）本発明の実施の形態１における折畳回動式携帯端末装置の折畳状態を示す外観図（ｂ）本発明の実施の形態１における折畳回動式携帯端末装置の開状態を示す外観図（ｃ）本発明の実施の形態１における折畳回動式携帯端末装置の第一筐体の表示部を外側にして第二筐体に重ねた折畳状態を示す斜視図
【図２】（ａ）本発明の第２の実施の形態における折畳回動式携帯端末装置の折畳状態の右斜め前方から見た外観斜視図（ｂ）本発明の第２の実施の形態における折畳回動式携帯端末装置の折畳状態の左斜め前方から見た外観斜視図
【図３】（ａ）本発明の第２の実施の形態における折畳回動式携帯端末装置の開状態を示す外観図（ｂ）本発明の第２の実施の形態における折畳回動式携帯端末装置の開状態を示す背面外観図
【図４】（ａ）本発明の第２の実施の形態における折畳回動式携帯端末装置の第一筐体の表示部を外側にして第二筐体に重ねた折畳状態を示す外観図（ｂ）本発明の第２の実施の形態における折畳回動式携帯端末装置の第一筐体の表示部を外側にして第二筐体に重ねた折畳状態を示す正面図
【図５】（ａ）本発明の第２の実施の形態における撮影モード選択時の側面キーの例を示す側面図（ｂ）本発明の第２の実施の形態におけるテレビ閲覧モード選択時の側面キーの例を示す側面図（ｃ）本発明の第２の実施の形態におけるナビゲーションモード選択時の側面キーの例を示す側面図
【図６】（ａ）本発明の第３の実施の形態における折畳回動式携帯端末装置の第一筐体の表示部を外側にして第二筐体に重ねた折畳状態を示す外観図（ｂ）本発明の第３の実施の形態における折畳回動式携帯端末装置の第一筐体の表示部を外側にして第二筐体に重ねた折畳状態を示す正面図
【図７】（ａ）本発明の第４の実施の形態における折畳回動式携帯端末装置の第一筐体の表示部を外側にして第二筐体に重ねた折畳状態を示す外観図（ｂ）本発明の第４の実施の形態における折畳回動式携帯端末装置の第一筐体の表示部を外側にして第二筐体に重ねた折畳状態を示す正面図（ｃ）本発明の第４の実施の形態におけるタッチ入力パネルモード選択時の側面キーの例を示す側面図
【符号の説明】
【００６５】
１  第一筐体
２  第二筐体
３  表示部
４  ヒンジ部
５  カメラ部
６  シャッターキー
７ａ、７ｂ、７ｃ、９ａ、９ｂ、９ｃ  側面キー
８  副表示部
１０  操作部
１１  支持軸
１２  入力表示部
１３  入力ペン
４１  回転軸
【図１】
2006050057.tif 000003
【図２】
2006050057.tif 000004
【図３】
2006050057.tif 000005
【図４】
2006050057.tif 000006
【図５】
2006050057.tif 000007
【図６】
2006050057.tif 000008
【図７】
2006050057.tif 000009